(57)【特許請求の範囲】
【請求項１】
所定の計測値または情報を表示する複数の表示部と、この表示部の前方側を覆う透明材料からなるカバー部材とを備え、前記カバー部材に前記各表示部の少なくとも一つを取り巻くように奥行き方向に延長し前記表示部を区画する仕切部を形成し、この仕切部に前記表示部の周囲が透けるのを防止する複数の凹凸部からなる不透明処理部を設け、前記凹凸部が前記奥行き方向に延びる複数の条線を形成することを特徴とする計器装置。
【請求項２】
所定の計測値または情報を表示する複数の表示部を有する計器ユニットと、この計器ユニットを収納する収容部を有するハウジングと、このハウジングまたは前記計器ユニットに装着され前記表示部の前方側を覆う透明材料からなるカバー部材とを備え、前記カバー部材に前記各表示部の少なくとも一つを取り巻くように奥行き方向に延長し前記表示部を区画する仕切部を形成し、この仕切部に前記表示部の周囲が透けるのを防止する複数の凹凸部からなる不透明処理部を設け、前記凹凸部が前記奥行き方向に延びる複数の条線を形成することを特徴とする計器装置。
【請求項３】
前記凹凸部を断面略鋸歯形状に設定したことを特徴とする請求項１または請求項２のうち何れか一つに記載の計器装置。
【請求項４】
前記凹凸部を断面略四角形状または断面波形に設定したことを特徴とする請求項１または請求項２のうち何れか一つに記載の計器装置。
【発明の詳細な説明】
【０００１】
【発明の属する技術分野】
本発明は、例えば自動車やオートバイ、農建機、水上バイク、雪上バイク、船舶等の移動体に搭載される計器装置に係わるものである。
【０００２】
【従来の技術】
従来、例えば自動２輪車、特にスクータ型自動２輪車には、一対のバー型ハンドルを両側より突出するハウジングが設けられ、このハウジングに計器ユニットを搭載している（例えば特開平９−１９３８６５号公報参照）。計器ユニットは表示パネルを有し、この表示パネル上には、例えば走行速度からなる計測値を表示（指示）する指針式表示部、走行距離からなる計測値を表示する液晶表示部、内部光源の点灯によりターンシグナル，ハイビーム状態等の報知情報やオイル，スピード，残燃料等の警報情報を表示する報知・警告表示部といった複数の表示部が設けられている。表示パネルの前方側には、透明材料からなるカバー部材が装着され、このカバー部材を通して各表示部が透視できるように構成される。
【０００３】
ところで最近、この種計器装置にあっては、その外観造形または外観意匠に変化を与えるため、例えば特開平１１−３２１７５０号公報の図５に示されるように、カバー部材の前方側に不透明材料からなるマスク部材を重ねて装着し、このマスク部材に設けられた開口部を通じて各表示部を透視可能とする試みがある。
【０００４】
【発明が解決しようとする課題】
しかしながら、カバー部材にマスク部材を重ねる構造は、マスク部材にてカバー部材の透視エリアを制限することはできても、表示パネル上の表示部を区画することは不可能であり、このため各表示部を構造的に独立させ、単眼調の造形デザインを付与するには不十分であった。すなわち、単にマスク部材を装着するのみでは、例えば斜め方向から表示パネルを見たとき、隣接する表示部が視認されてしまうという不都合があった。またこのような不都合を解消するため、例えば表示パネルとカバー部材との間に各表示部を区画する専用部品を設けることが考えられるが、専用部品の追加はコスト上昇を招くという問題がある。
【０００５】
本発明はこれらの点に鑑みてなされたものであり、その主な目的は、専用部品の追加なくして表示部を区画でき、これによりコスト上昇を抑えることが可能な計器装置を提供せんとするものである。
【０００６】
【課題を解決するための手段】
本発明は、前記目的を達成するため、所定の計測値または情報を表示する複数の表示部と、この表示部の前方側を覆う透明材料からなるカバー部材とを備え、前記カバー部材に前記各表示部の少なくとも一つを取り巻くように奥行き方向に延長し前記表示部を区画する仕切部を形成し、この仕切部に前記表示部の周囲が透けるのを防止する複数の凹凸部からなる不透明処理部を設け、前記凹凸部が前記奥行き方向に延びる複数の条線を形成することを特徴とする。
【０００７】
また本発明は、前記目的を達成するため、所定の計測値または情報を表示する複数の表示部を有する計器ユニットと、この計器ユニットを収納する収容部を有するハウジングと、このハウジングまたは前記計器ユニットに装着され前記表示部の前方側を覆う透明材料からなるカバー部材とを備え、前記カバー部材に前記各表示部の少なくとも一つを取り巻くように奥行き方向に延長し前記表示部を区画する仕切部を形成し、この仕切部に前記表示部の周囲が透けるのを防止する複数の凹凸部からなる不透明処理部を設け、前記凹凸部が前記奥行き方向に延びる複数の条線を形成することを特徴とする。
【０００８】
また本発明は、前記凹凸部を断面略鋸歯形状に設定したことを特徴とする。
【０００９】
また本発明は、前記凹凸部を断面略四角形状または断面波形に設定したことを特徴とする。
【００１０】
【発明の実施の形態】
本発明による計器装置は、計測値として走行速度並びに走行距離を表示する表示部と、ターンシグナル状態を報知する表示部と、速度警報，オイル警報，残燃料警報からなる警報情報を表示する表示部とからなる複数の表示部と、これら表示部の前方側を覆う透明材料からなるカバー部材と、このカバー部材の前方側に配置され各表示部に対応した開口部を有する不透明材料からなるマスク部材とを備えており、カバー部材には各表示部の少なくとも一つを取り巻くよう奥行き方向に延長する仕切部が形成され、この仕切部に不透明処理部を設けたものである。このように仕切部に不透明処理部を設けることにより、専用部品を追加することなく表示部を区画できるので、コスト低減を達成することができる。なおマスク部材の採用は任意であり、またマスク部材の採用時にこれに形成する開口部は各表示部に対応させなくとも、カバー部材の任意箇所を露出するものであればよい。
【００１１】
また本発明による計器装置は、計測値として走行速度並びに走行距離を表示する表示部と、ターンシグナル状態を報知する表示部と、速度警報，オイル警報，残燃料警報からなる警報情報を表示する表示部とからなる複数の表示部が設けられた計器ユニットと、この計器ユニットを収納する収容部を有するハウジングと、このハウジングまたは計器ユニットに装着され表示部の前方側を覆う透明材料からなるカバー部材と、このカバー部材の前方側に位置してハウジングに装着され各表示部に対応した開口部を有する不透明材料からなるマスク部材とを備えており、カバー部材には各表示部の少なくとも一つを取り巻くよう奥行き方向に延長する仕切部が形成され、この仕切部に不透明処理部を設けたものである。このように仕切部に不透明処理部を設けることにより、専用部品を追加することなく表示部を区画できるので、コスト低減を達成することができる。
【００１２】
不透明処理部は、表示部を取り巻く仕切部の内壁面または外壁面の少なくとも一方に形成され、その表示部の周囲が透けるのを防止できればよく、望ましくは型成形と同時に形成されるシボ状の凹凸部（シボ加工面）や奥行き方向に向かって列状に延びる複数の凹凸部（ローレット加工部）が好適である。
【００１３】
【実施例】
以下、添付図面に基づき、本発明による計器装置をスクータ型オートバイに適用した場合を例に実施例を説明する。
【００１４】
図１は本発明の実施形態による計器装置の正面図、図２は図１のＡ−Ａラインに沿った断面図、図３はカバー部材の背面側を示す正面図、図４は仕切部の要部を拡大して示す斜視図、図５は仕切部の要部断面図である。
【００１５】
図１及び図２において、本実施例による計器装置は、計器ユニット１と、この計器ユニット１を収納するハウジング２と、計器ユニット１を覆うカバー部材３と、このカバー部材３を覆うマスク部材４とから構成されている。
【００１６】
計器ユニット１は、回路基板１１と、この回路基板１１に装着されたステッピングモータや交差コイル型電動機からなり走行速度に応じて指針１２を駆動する計器本体１３と、この指針１２の背後に配置される表示パネル１４と、この表示パネル１４と回路基板１１との間に位置して表示パネル１４及び走行距離を表示する液晶パネル１５を支持するケース１６とからなる。
【００１７】
表示パネル１４には、指針１２の指示対象となる走行速度に応じた目盛，数字、指標からなる計測値表示部１４ａと、液晶パネル１５に対応した開口窓１４ｂと、ターンインジケータ表示部１４ｃと、オイル警報表示部１４ｄと、速度警報表示部１４ｅとがそれぞれ形成され、また回路基板１１には、指針１２及び計測値表示部１４ａ、液晶パネル１５、ターンインジケータ表示部１４ｃ、オイル警報表示部１４ｄ、速度警報表示部１４ｅのそれぞれに対応した複数の光源１７が装着され、これら光源１７の点灯により、夜間など周囲が暗い場合に指針１２、計測値表示部１４ａ、液晶パネル１５を照明すると共に、必要に応じてターンインジケータ表示部１４ｃ、オイル警報表示部１４ｄ、速度警報表示部１４ｅを照明することで、ターンシグナル動作、オイル警報、速度警報を報知もしくは警報表示するようになっている。
【００１８】
そして本実施例の場合、指針１２と計測値表示部１４ａとにより、走行速度からなる計測値を表示（指示）する第１の表示部Ｄ１が構成され、表示パネル１５の開口窓１４ｂに臨む液晶パネル１５により走行距離からなる計測値を表示する第２の表示部Ｄ２が構成され、オイル警報表示部１４ｄと速度警報部１４ｅとにより警報情報を表示する第３の表示部Ｄ３が形成されている。
【００１９】
ハウジング２は、合成樹脂からなり、車体全部中央に位置して上方に延びる図示しない車体フレームに、一対のバー型ハンドル５を両側方より挿出する（図１では左側に挿出されるバー型ハンドル５のみを示した）よう装着されるもので、その中央部には前方側に開放し計器ユニット１を収納する略有底枠体形状の収容部２１が形成されている。
【００２０】
この収容部２１には、計器ユニット１が収納される他、計器ユニット１の前方側を覆うカバー部材３も収納され、さらに収容部２１の開放端側にはカバー部材３を覆うようにマスク部材４が装着される。
【００２１】
カバー部材３は、透明な合成樹脂にて計器ユニット１側に開口する略有底枠体に形成され、表示パネル１４とは所定の間隔を空けて計器ユニット１の前方を覆うものである。そしてカバー部材３には、図３にも示すように、計器ユニット１の第１〜第３の表示部Ｄ１〜Ｄ３を区画する複数の仕切部３１が形成されている。なおこのカバー部材３は、ハウジング２ではなく、計器ユニット１に装着してもよい。
【００２２】
この仕切部３１は、各表示部Ｄ１〜Ｄ３を取り巻いて奥行き方向（表示パネル１４方向）に延長する円筒形に形成され、表示部Ｄ１〜Ｄ３を各表示部Ｄ１〜Ｄ３毎に区画している。
【００２３】
各仕切部３１の内壁面には、図４，図５に示すように、断面形状が略鋸歯状で奥行き方向（表示パネル１４側）に向かって列状に延びる複数の凹凸部３２からなるローレット形状の不透明処理部が形成されている。この不透明処理部（凹凸部３２）は、各表示部Ｄ１〜Ｄ３を取り巻いて奥行き方向に延びる複数の条線を形成すると共にその形状に起因した屈折作用で仕切部３１の外側が透けて見えないようにするものであり、仕切部３１に不透明処理部（凹凸部３２）を設けることにより、表示部Ｄ１〜Ｄ３を構造的に独立させ、単眼調のデザインをより際立たせるものである。なお本実施例では、凹凸部３２を形成する略三角山形状の各鋸歯３２ａの幅寸法Ｗは、１ｍｍ程度に設定されている。
【００２４】
マスク部材４は不透明な合成樹脂からなり、仕切部３１にて取り巻かれる各表示部Ｄ１〜Ｄ３の各エリアのみを透視可能とする複数（３つ）の円形の開口部４１が形成されており、仕切部３１の真上領域はマスク部材４の遮蔽部分にて覆うようにして美観を向上させている。
【００２５】
以上のように、本実施例では、複数の表示部Ｄ１〜Ｄ３が設けられた計器ユニット１と、この計器ユニット１を収納する収容部２１を有するハウジング２と、このハウジング２に装着され表示部Ｄ１〜Ｄ３の前方側を覆う透明材料からなるカバー部材３と、このカバー部材３の前方側に位置してハウジング２に装着され各表示部Ｄ１〜Ｄ３に対応した開口部４１を有する不透明材料からなるマスク部材４とを有し、カバー部材３には表示部Ｄ１〜Ｄ３を取り巻くよう奥行き方向に延長する仕切部３１が形成され、この仕切部３１に凹凸部（不透明処理部）３２を設けたことにより、専用部品を追加することなく表示部Ｄ１〜Ｄ３を区画して単眼調の外観造形を演出でき、コスト低減を達成することができる。
【００２６】
また本実施例では、不透明処理部が奥行き方向に延びる複数の凹凸部３２からなることにより、カバー部材３の型成形と同時に不透明処理部を形成でき、これによってもコスト低減を実現している。また凹凸部３２を断面略鋸歯形状に設定したことで、屈折作用を向上させ、仕切部３１の外側が透けて見えるのを効果的に防止できると共に、仕切部３１自体の美観を向上させることができる。
【００２７】
なお本実施例では不透明処理部を形成する凹凸部３２を断面略鋸歯形状となしたが、その形状については任意であり、他の実施例として図６に示すように、断面略四角形状に設定してもよいし、さらに他の実施例として図７に示すように断面波状に形成してもよい。
【００２８】
また他の実施例として図示しないが、不透明処理部はシボ状の凹凸部によって形成することもできる。
【００２９】
また図１〜図５に実施例では、仕切部３１を、各表示部Ｄ１〜Ｄ３のそれぞれを取り巻く独立した円筒状に形成したが、例えば図８に示すように、共有部分を有する複数円筒形に形成してもよい。さらに仕切部３１は、表示部Ｄ１〜Ｄ３のうちの少なくとも一つ、または表示部Ｄ１〜Ｄ３を構成する個別の表示部（指針１２及び計測値表示部１４ａ、ターンインジケータ表示部１４ｃ、オイル警報表示部１４ｄ、速度警報表示部１４ｅ）のうちの少なくとも一つを区画できれば、その形成数や形状は任意である。さらに仕切部３１の先端は必ずしも表示パネル１４に接していなくともよく、表示パネル１４との間に隙間を空けてもよい。
【００３０】
【発明の効果】
以上詳述したように、本発明は所定の計測値または情報を表示する複数の表示部と、この表示部の前方側を覆う透明材料からなるカバー部材とを備え、前記カバー部材に前記各表示部の少なくとも一つを取り巻くように奥行き方向に延長し前記表示部を区画する仕切部を形成し、この仕切部に前記表示部の周囲が透けるのを防止する複数の凹凸部からなる不透明処理部を設け、前記凹凸部が前記奥行き方向に延びる複数の条線を形成することにより、コスト上昇を抑えることが可能な計器装置を提供することができる。
【００３１】
また本発明は所定の計測値または情報を表示する複数の表示部を有する計器ユニットと、この計器ユニットを収納する収容部を有するハウジングと、このハウジングまたは前記計器ユニットに装着され前記表示部の前方側を覆う透明材料からなるカバー部材とを備え、前記カバー部材に前記各表示部の少なくとも一つを取り巻くように奥行き方向に延長し前記表示部を区画する仕切部を形成し、この仕切部に前記表示部の周囲が透けるのを防止する複数の凹凸部からなる不透明処理部を設け、前記凹凸部が前記奥行き方向に延びる複数の条線を形成することにより、コスト上昇を抑えることが可能な計器装置を提供することができる。
【図面の簡単な説明】
【図１】本発明の実施例を示す正面図。
【図２】図１のＡ−Ａラインに沿った断面図。
【図３】同実施例によるカバー部材の背面側を示す正面図。
【図４】同実施例による仕切部の要部を拡大して示す斜視図。
【図５】同実施例による仕切部の要部断面図。
【図６】本発明の他の実施例を示す仕切部の要部断面図。
【図７】本発明の他の実施例を示す仕切部の要部断面図。
【図８】本発明の他の実施例を示す仕切部の背面図。
【符号の説明】
１  計器ユニット１
２  ハウジング２
３  カバー部材３
４  マスク部材４
５  バー型ハンドル
１１  回路基板１１
１２  指針１２
１３  計器本体１３
１４  表示パネル１４
１４ａ  計測値表示部
１４ｂ  開口窓
１４ｃ  ターンインジケータ表示部
１４ｄ  オイル警報表示部
１４ｅ  速度警報表示部
１５  液晶パネル
１６  ケース
１７  光源
Ｄ１  第１の表示部
Ｄ２  第２の表示部
Ｄ３  第３の表示部
３１  仕切部
３２  凹凸部（不透明処理部）
３２ａ  鋸歯
Ｗ  幅
【図１】
0003776718.tif 000002
【図２】
0003776718.tif 000003
【図３】
0003776718.tif 000004
【図４】
0003776718.tif 000005
【図５】
0003776718.tif 000006
【図６】
0003776718.tif 000007
【図７】
0003776718.tif 000008
【図８】
0003776718.tif 000009